【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
ネットワークを介して複数の画像保管装置と通信可能な画像位置管理装置であって、
画像データが格納されている前記画像保管装置を示す特定情報を保管手段に保管して管理する管理手段と、
前記保管手段に保管されている前記特定情報に基づいて該画像データが格納されている画像保管装置を特定する特定手段と、
外部装置から画像データを受信し、前記保管手段に画像データを保管する登録手段と、
前記登録手段によって前記保管手段に登録された前記画像データから編集用の画像データを生成し前記保管手段に保管する生成手段を有し、
更に前記管理手段は、前記保管手段に保管された画像データに係わる特定情報も管理し、
更に前記特定手段は、外部装置から画像データの要求があった場合に、画像保管位置を特定し前記要求を行った外部装置に該画像データを送信することを特徴とする画像位置管理装置。
【請求項２】
前記管理手段は、ある画像の複数の解像度に対応する夫々の画像データを一意に識別する識別情報に対して該画像の特定情報を管理することを特徴とする請求項１記載の画像位置管理装置。
【請求項３】
前記管理手段は、特定情報として、前記画像データを保管している外部の画像管理装置の装置識別情報と、前記画像位置管理装置内の格納場所を示す識別位置情報とを管理することを特徴とする請求項１乃至２記載の画像位置管理装置。
【請求項４】
外部の画像保管装置から送信された画像データの位置更新情報に基づいて、前記特定情報を更新する更新手段を更に有することを特徴とする請求項１乃至３記載の画像位置管理装置。
【請求項５】
前記位置更新情報は、新規に画像データが登録されたことを示す登録情報または、すでに保管されている画像データの保管場所が変更されたことを示す変更情報を含むことを特徴とする請求項４記載の画像位置管理装置。
【請求項６】
外部の画像保管装置から別の画像保管装置への画像データ移動または複写において、該画像データを移動元又は複写元の画像保管装置から受信し、移動先または複写先の画像保管装置へ転送する転送制御手段を更に有することを特徴とする請求項１乃至５記載の画像位置管理装置。
【請求項７】
画像データの送信要求を外部に送信する要求手段を更に有し、
画像データを外部の画像保管装置から取得する必要がある場合は、前記特定手段により特定された画像保管装置に対して前記要求手段から送信要求を送信することを特徴とする請求項１乃至６記載の画像位置管理装置。
【請求項８】
前記要求手段から送信した画像データの送信要求に応じた外部装置からの画像データを取得する取得手段を更に有し、
前記取得手段は、前記外部装置の管理手段で前記外部装置の保管手段に保管されている特定情報に基づいて前記外部装置の特定手段により画像保管位置を特定された画像データを取得する事を特徴とする請求項７記載の画像位置管理装置。
【請求項９】
前記画像位置管理装置は、文書処理装置から送信された印刷依頼に基づいて、複数の画像保管装置から該印刷依頼に必要な画像データを取得するシステムに適用されることを特徴とする請求項１乃至８記載の画像位置管理装置。
【請求項１０】
ネットワークを介して複数の画像保管装置と通信可能な画像位置管理装置における画像位置管理方法であって、
画像データが格納されている前記画像保管装置を示す特定情報を保管手段に保管して管理させる管理工程と、
前記保管手段に保管されている前記特定情報に基づいて該画像データが格納されている画像保管装置を特定させる特定工程と、
外部装置から画像データを受信させ、前記保管手段に画像データを保管させる登録工程と、
前記登録手段によって前記保管手段に登録された前記画像データから編集用の画像データを生成させ前記保管手段に保管させる生成工程を含み、
更に前記管理工程は、前記保管手段に保管された画像データに係わる特定情報も管理させ、
更に前記特定工程は、外部装置から画像データの要求があった場合に、画像保管位置を特定させ前記要求を行った外部装置に該画像データを送信させることを特徴とする画像位置管理方法。
【請求項１１】
前記管理工程は、ある画像の複数の解像度に対応する夫々の画像データを一意に識別する識別情報に対して該画像の特定情報を前記保管手段に保管して管理させることを特徴とする請求項１０記載の画像位置管理方法。
【請求項１２】
前記管理工程は、特定情報として、前記画像データを保管している外部の画像管理装置の装置識別情報と、前記画像位置管理装置内の格納場所を示す識別位置情報とを前記保管手段に保管して管理させることを特徴とする請求項１０乃至１１記載の画像位置管理方法。
【請求項１３】
外部の画像保管装置から送信された画像データの位置更新情報に基づいて、前記特定情報を更新させる更新工程を更に有することを特徴とする請求項１０乃至１２記載の画像位置管理方法。
【請求項１４】
前記位置更新情報は、新規に画像データが登録されたことを示す登録情報または、すでに保管されている画像データの保管場所が変更されたことを示す変更情報を含むことを特徴とする請求項１３記載の画像位置管理方法。
【請求項１５】
外部の画像保管装置から別の画像保管装置への画像データ移動または複写において、該画像データを移動元又は複写元の画像保管装置から受信し、移動先または複写先の画像保管装置へ転送させる転送制御工程を更に含むことを特徴とする請求項１０乃至１４記載の画像位置管理装置。
【請求項１６】
画像データの送信要求を外部に送信させる要求工程を更に含み、
画像データを外部の画像保管装置から取得する必要がある場合は、前記特定工程により特定された画像保管装置に対して前記要求工程から送信要求を送信させることを特徴とする請求項１０乃至１５記載の画像位置管理方法。
【請求項１７】
前記要求工程により送信された画像データの送信要求に応じた外部装置からの画像データを取得する取得工程を更に含み、
前記取得工程は、前記外部装置の管理工程で前記外部装置の保管手段に保管されている特定情報に基づいて前記外部装置の特定工程により画像保管位置を特定された画像データを取得させる事を特徴とする請求項１６記載の画像位置管理方法。
【請求項１８】
前記画像位置管理方法は、文書処理装置から送信された印刷依頼に基づいて、複数の画像保管装置から該印刷依頼に必要な画像データを取得するシステムに適用されることを特徴とする請求項１０乃至１７記載の画像位置管理方法。
【請求項１９】
ネットワークを介して複数の画像保管装置と通信可能な画像位置管理装置における画像位置管理プログラムが格納された記憶媒体であって、
画像データが格納されている前記画像保管装置を示す特定情報を保管手段に保管して管理させる管理工程と、
前記保管手段に保管されている前記特定情報に基づいて該画像データが格納されている画像保管装置を特定させる特定工程と、
外部装置から画像データを受信させ、前記保管手段に画像データを保管させる登録工程と、
前記登録手段によって前記保管手段に登録された前記画像データから編集用の画像データを生成させ前記保管手段に保管させる生成工程を含み、
更に前記管理工程は、前記保管手段に保管された画像データに係わる特定情報も管理させ、
更に前記特定工程は、外部装置から画像データの要求があった場合に、画像保管位置を特定させ前記要求を行った外部装置に該画像データを送信させることを特徴とするコンピュータ読み取り可能なプログラムが格納された記憶媒体。
【手続補正２】
【補正対象書類名】明細書
【補正対象項目名】０００８
【補正方法】変更
【補正の内容】
【０００８】
【課題を解決するための手段】
上記目的を達成するために、本出願に係る発明は、ネットワークを介して複数の画像保管装置と通信可能な画像位置管理装置であって、画像データが格納されている前記画像保管装置を示す特定情報を保管手段に保管して管理する管理手段と、前記保管手段に保管されている前記特定情報に基づいて該画像データが格納されている画像保管装置を特定する特定手段と、外部装置から画像データを受信し、前記保管手段に画像データを保管する登録手段と、前記登録手段によって前記保管手段に登録された前記画像データから編集用の画像データを生成し前記保管手段に保管する生成手段を有し、更に前記管理手段は、前記保管手段に保管された画像データに係わる特定情報も管理し、更に前記特定手段は、外部装置から画像データの要求があった場合に、画像保管位置を特定し前記要求を行った外部装置に該画像データを送信することを特徴とする。
【手続補正３】
【補正対象書類名】明細書
【補正対象項目名】００１５
【補正方法】変更
【補正の内容】
【００１５】
また、前記要求手段から送信した画像データの送信要求に応じた外部装置からの画像データを取得する取得手段を更に有し、前記取得手段は、前記外部装置の管理手段で前記外部装置の保管手段に保管されている特定情報に基づいて前記外部装置の特定手段により画像保管位置を特定された画像データを取得する事を特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】０５３５
【補正方法】変更
【補正の内容】
【０５３５】
【発明の効果】
以上説明したように、本出願に係る発明によれば、ネットワークを介して複数の画像保管装置と通信可能な画像位置管理装置であって、画像データが格納されている前記画像保管装置を示す特定情報を保管手段に保管して管理する管理手段と、前記保管手段に保管されている前記特定情報に基づいて該画像データが格納されている画像保管装置を特定する特定手段と、外部装置から画像データを受信し、前記保管手段に画像データを保管する登録手段と、前記登録手段によって前記保管手段に登録された前記画像データから編集用の画像データを生成し前記保管手段に保管する生成手段を有し、更に前記管理手段は、前記保管手段に保管された画像データに係わる特定情報も管理し、更に前記特定手段は、外部装置から画像データの要求があった場合に、画像保管位置を特定し前記要求を行った外部装置に該画像データを送信するので、利用者は画像に対して一意に割り振られている識別情報を記憶及び使用するだけで、該画像の保管場所がどのように変更されても該画像ファイルを取得または操作することが可能となった。